(57)【特許請求の範囲】
【請求項１】
個別のアドレスが割り当てられた負荷アイコンの押圧操作を監視するパネルスイッチ装置と、個別のアドレスが割り当てられた負荷を制御する制御装置とを信号線に接続し、パネルスイッチ装置は、負荷アイコンの押圧操作に応じた操作情報とアドレス情報とを含む伝送信号を信号線に出力し、制御装置は、信号線を介して受信した伝送信号に含まれるアドレス情報が対応する負荷のアドレスに一致する場合、アドレス情報に対応する負荷を制御する負荷制御システムに用いられるパネルスイッチ装置であって、
枠体と、前記枠体に配設された、制御対象の負荷を制御する通常モードとスイッチ名称設定を含む各種設定を行う設定モードとを切り換え可能なタッチパネル式の表示部と、前記表示部の裏面側に設けられた、前記表示部を介して入力された設定内容を出力する出力部を備え、
前記表示部は、前記設定モード中のスイッチ名称設定において、表示画面中の区分された各領域に対応した負荷のスイッチ名称を任意の文字列として入力するスイッチ名称入力画面を表示し、
前記制御装置は、前記出力部から出力された設定内容にしたがって負荷を制御することを特徴とするパネルスイッチ装置。
【請求項２】
請求項１に記載のパネルスイッチ装置において、
前記表示部は、表示画面を時間により切り換えるための仮想アドレスを設定するページ切替設定画面を表示し、前記制御装置は、当該ページ切替設定画面において入力された仮想アドレスに基づいて表示部の表示画面を切り換えることを特徴とするパネルスイッチ装置。
【請求項３】
請求項１又は請求項２に記載のパネルスイッチ装置において、
前記表示部は、表示部のバックライトの点灯状態を制御するための仮想アドレスを設定するバックライト制御設定画面を表示し、前記制御装置は、当該バックライト制御設定画面において入力された仮想アドレスに基づいて表示部のバックライトの点灯状態を制御することを特徴とするパネルスイッチ装置。
【請求項４】
請求項１乃至請求項３のうち、いずれか１項に記載のパネルスイッチ装置において、
前記枠体は、埋込型の配線器具用に規格化された２連式の取付枠と略同じ寸法に形成されていることを特徴とするパネルスイッチ装置。
【発明の詳細な説明】
【技術分野】
【０００１】
本発明は、照明等の負荷を制御する負荷制御システムに用いられるパネルスイッチ装置に関する。
【背景技術】
【０００２】
従来より、個別のアドレスが割り当てられた負荷アイコンの押圧操作を監視するパネルスイッチ装置と、個別のアドレスが割り当てられた負荷を制御する制御装置とを信号線に接続し、パネルスイッチ装置は、負荷アイコンの押圧操作に応じた操作情報とアドレス情報とを含む伝送信号を信号線に出力し、制御装置は、信号線を介して受信した伝送信号に含まれるアドレス情報が対応する負荷のアドレスに一致する場合、アドレス情報に対応する負荷を制御する負荷制御システムが知られている。このような負荷制御システムでは、施工者は、パーソナルコンピュータ等の端末装置に専用のソフトウェアをインストールし、端末装置を介して名称設定やアドレス設定等の負荷の各種設定を行う。
【特許文献１】特開２００２−３００６８０号公報
【発明の開示】
【発明が解決しようとする課題】
【０００３】
従来の負荷制御システムでは、上述の通り、施工者はパソコン等の端末装置を介して負荷の各種設定を行わなければならないために、負荷の設定作業に多くの労力が必要になっていた。
【０００４】
本発明は、上記課題を解決するためになされたものであり、その目的は、負荷の設定作業に要する労力を軽減可能なパネルスイッチ装置を提供することにある。
【課題を解決するための手段】
【０００５】
本発明に係るパネルスイッチ装置は、個別のアドレスが割り当てられた負荷アイコンの押圧操作を監視するパネルスイッチ装置と、個別のアドレスが割り当てられた負荷を制御する制御装置とを信号線に接続し、パネルスイッチ装置は、負荷アイコンの押圧操作に応じた操作情報とアドレス情報とを含む伝送信号を信号線に出力し、制御装置は、信号線を介して受信した伝送信号に含まれるアドレス情報が対応する負荷のアドレスに一致する場合、アドレス情報に対応する負荷を制御する負荷制御システムに用いられるパネルスイッチ装置であって、枠体と、前記枠体に配設された、制御対象の負荷を制御する通常モードとスイッチ名称設定を含む各種設定を行う設定モードとを切り換え可能なタッチパネル式の表示部と、前記表示部の裏面側に設けられた、前記表示部を介して入力された設定内容を出力する出力部を備え、前記表示部は、前記設定モード中のスイッチ名称設定において、表示画面中の区分された各領域に対応した負荷のスイッチ名称を任意の文字列として入力するスイッチ名称入力画面を表示し、前記制御装置は、前記出力部から出力された設定内容にしたがって負荷を制御することを特徴とする。
【発明の効果】
【０００７】
本発明に係るパネルスイッチ装置によれば、パーソナルコンピュータ等の端末装置を利用することなく表示部を介して負荷の各種設定を行うことができるので、負荷の設定作業に要する労力を軽減することができる。
【発明を実施するための最良の形態】
【０００８】
以下、図面を参照して、本発明の実施形態となるパネルスイッチ装置の構成について説明する。なおこのパネルスイッチ装置が適用される負荷制御システムは、特開２００７−１２４１５９号公報に記載されているものと同じであるので、以下ではその説明及び図示を省略する。
【０００９】
〔パネルスイッチの構成〕
本発明の実施形態となるパネルスイッチ装置１は、図１（ａ），（ｂ）に示すように、枠体２に配設された、照明等の負荷のレイアウトや各種設定項目を表示するタッチパネル式の表示部３と、表示部３に電力を供給する電力供給端子Ｔ１，Ｔ２と、各種信号を入出力する入出力端子Ｔ３，Ｔ４を主な構成要素として備える。枠体２は、埋込型の配線器具用に規格化された２連式の取付枠と略同じ寸法に形成されており、前面を露出させた状態で施工面に埋込配設される。表示部３は、ユーザが動作モードを通常モードから設定モードに切り換えると、各種設定を行えるように図２に示す設定画面１０を表示する。
【００１０】
〔名称設定〕
ユーザが図２に示す設定画面１０に表示されている「スイッチ名称設定」アイコン１３を押圧操作すると、パネルスイッチ装置１は図３に示すようなページタグタイプのスイッチ名称設定用画面１５を表示する。次にユーザが名称を設定したいスイッチ（図３に示す例では領域Ｒ１）を選択すると、パネルスイッチ装置１は図４に示すスイッチ名称入力画面１６を表示する。そしてユーザが、スイッチ名称入力画面１６の操作ボタンを操作することにより、スイッチの名称を入力して「設定」ボタン１７を押圧操作すると、パネルスイッチ装置１は、ユーザが選択したスイッチに入力された名称を登録し、図５に示すようにユーザが選択した領域に入力された名称を表示する。図５に示す例では、ユーザがスイッチの名称を「第１会議室」と入力したので、領域Ｒ１に「第１会議室」との名称が表示される。このような名称設定方法によれば、ユーザは、専用のソフトウェアがインストールされたパーソナルコンピュータ等の端末装置を利用することなく名称設定を行うことができるので、名称設定に要する労力を軽減することができる。またユーザは任意の名称を設定することができるので、既存の名称メニューから名称を選択入力する場合よりも様々な用途や場所に適用することができる。
【００１１】
〔ページ切替設定〕
ユーザが図２に示す設定画面１０に表示されている「本体設定」アイコン１４を押圧操作すると、パネルスイッチ装置１は図６に示す本体設定用画面１９を表示する。次にユーザが本体設定用画面１９の中から「ページ切替」アイコン２３を押圧操作すると、パネルスイッチ装置１は図７に示すページ切替設定画面２７を表示する。このページ切替設定画面２７では、表示部３に表示するページ番号を設定することができる。具体的には、ページ切替設定画面２７中の「アドレス設定」アイコン２８が押圧操作されると、パネルスイッチ装置１は図８に示すアドレス設定画面２９を表示する。次にユーザが、アドレス設定画面２９の操作ボタンを操作することにより、アドレス値を入力して「設定」ボタン３０を押圧操作すると、パネルスイッチ装置１は、ユーザが入力したアドレス値を登録する。そしてユーザが、オン時及びオフ時のページ番号を選択し、「設定」ボタン３１を押圧すると、パネルスイッチ装置１は、ユーザが入力したアドレス値がオンである場合にはオン時のページ番号を表示し、ユーザが入力したアドレス値がオフである場合にはオフ時のページ番号を表示する。図７に示す例では、アドレス値「６２−４」がオンである場合はページ１（図７に示す領域Ｒ２に対応）が表示部３に表示され、アドレス値「６２−４」がオフである場合にはページ３２（図７に示す領域Ｒ３に対応）が表示部３に表示されるように設定される。このようなページ設定方法によれば、例えば平日には図９に示すようなスイッチをグループ別に表示するページタグタイプの画面３２を表示してグループ毎に負荷を制御できるようにし、休日には図１０に示すようなスイッチを個別に表示するページタグタイプの画面３３を表示して負荷を個別にできるようにして、スイッチの使い勝手の向上を図ると共に不要な照明器具の点灯を防止することができる。
【００１２】
〔バックライト制御設定〕
ユーザが図６に示す本体設定用画面１９の中から「バックライト制御」アイコン２６を押圧操作すると、パネルスイッチ装置１は図１１に示すバックライト制御設定用画面３４を表示する。このバックライト制御設定用画面３４では、表示部３のバックライトを点灯させるアドレスを設定することができる。具体的には、ユーザが、バックライト制御設定用画面３４の操作ボタンを操作することにより、アドレス値を入力して「設定」ボタン３５を押圧操作すると、パネルスイッチ装置１はユーザが入力したアドレス値を表示部３のバックライトを点灯させるアドレスとして登録する。このようなバックライト制御設定方法によれば、例えば図１２に示すようなシーン別の照明設定を示す画面３６において、「プロジェクタ」を利用するシーン等のパネルスイッチ装置１の周囲が暗いシーンにおいてはバックライトを点灯させるアドレス値をオフに設定しておくことにより、パネルスイッチ装置１の周囲が暗いシーンの際には表示部３のバックライトが点灯しないように制御し、使用環境の改善を図ることができる。
【００１３】
以上、本発明者によってなされた発明を適用した実施の形態について説明したが、この実施の形態による本発明の開示の一部をなす記述及び図面により本発明は限定されることはない。すなわち、上記実施の形態に基づいて当業者等によりなされる他の実施の形態、実施例及び運用技術等は全て本発明の範疇に含まれる。
【図面の簡単な説明】
【００１４】
【図１】本発明の実施形態となるパネルスイッチ装置の外観の構成を示す正面図及び側面図である。
【図２】設定画面の一例を示す図である。
【図３】スイッチ名称設定用画面の一例を示す図である。
【図４】名称設定前のスイッチ名称入力画面の一例を示す図である。
【図５】名称設定後のスイッチ名称入力画面の一例を示す図である。
【図６】本体設定用画面の一例を示す図である。
【図７】ページ切替設定画面の一例を示す図である。
【図８】アドレス設定画面の一例を示す図である。
【図９】スイッチをグループ別に表示する画面の一例を示す図である。
【図１０】スイッチを個別に表示する画面の一例を示す図である。
【図１１】バックライト制御設定用画面の一例を示す図である。
【図１２】シーン別の照明設定を示す画面の一例を示す図である。
【符号の説明】
【００１５】
１：パネルスイッチ装置
２：枠体
３：表示部
Ｔ１，Ｔ２：電力供給端子
Ｔ３，Ｔ４：入出力端子
【図１】
0004450057.tif 000002
【図２】
0004450057.tif 000003
【図３】
0004450057.tif 000004
【図４】
0004450057.tif 000005
【図５】
0004450057.tif 000006
【図６】
0004450057.tif 000007
【図７】
0004450057.tif 000008
【図８】
0004450057.tif 000009
【図９】
0004450057.tif 000010
【図１０】
0004450057.tif 000011
【図１１】
0004450057.tif 000012
【図１２】
0004450057.tif 000013